(57)【特許請求の範囲】
【請求項１】
一対の基板間に液晶層が設けられた液晶セルと、前記液晶セルの前面もしくは前記液晶セルの前面と背面とにそれぞれ配置された偏光板とを備え、前記液晶セルの前面に配置された偏光板または前記液晶セルの前面と背面とにそれぞれ配置された偏光板の少なくとも一方に、この偏光板への溶剤の所定パターンの塗布により部分的に変質して着色された透明層からなる装飾表示が形成されていることを特徴とする液晶表示素子。
【請求項２】
偏光板は、ベースフィルムとフロントフィルムとの間に中間フィルムを挟持した積層膜からなっており、前記中間フィルムが部分的に変質していることを特徴とする請求項１に記載の液晶表示素子。
【請求項３】
一対の基板間に液晶層が設けられた液晶セルの前面に配置された偏光板または前記液晶セルの前面と背面とにそれぞれ配置された偏光板の少なくとも一方に、この偏光板を部分的に変質させてなる装飾表示が形成された液晶表示素子の製造において、前記偏光板の外面に、この偏光板を変質させる溶剤を所定パターンに塗布し、その溶剤を前記偏光板に染み込ませて前記偏光板を部分的に変質させることにより、前記所定パターンの着色された透明層からなる装飾表示を形成することを特徴とする液晶表示素子の製造方法。
【請求項４】
偏光板は、ベースフィルムとフロントフィルムとの間に中間フィルムを挟持した積層膜からなっており、この偏光板の外面に、前記中間フィルムを変質させる溶剤を所定パターンに塗布し、その溶剤を前記フロントフィルムを浸透させて前記中間フィルムに染み込ませることにより、前記中間フィルムを部分的に変質させて前記所定パターンの装飾表示を形成することを特徴とする請求項３に記載の液晶表示素子の製造方法。
【請求項５】
偏光板の外面に剥ぎ取り可能なプロテクトフィルムが設けられており、このプロテクトフィルムの上に溶剤を塗布し、その溶剤を前記プロテクトフィルムを浸透させて前記偏光板に染み込ませることを特徴とする請求項３または４に記載の液晶表示素子の製造方法。
【発明の詳細な説明】
【０００１】
【発明の属する技術分野】
この発明は、恒久的な装飾表示を有する液晶表示素子およびその製造方法に関するものである。
【０００２】
【従来の技術】
液晶表示素子として、イラスト、会社名、個人名、社章、家紋、記念記事等の恒久的な装飾表示を有するものがあり、この種の液晶表示素子は、イラスト付き電子時計や、記念品などとして配布される電子時計または電卓（小型電子式計算機）等の小型電子機器に用いられている。
【０００３】
この装飾表示を有する液晶表示素子は、従来、その外面に、前記装飾表示をスクリーン印刷法等により印加して製造されている。
【０００４】
【発明が解決しようとする課題】
しかし、外面に装飾表示を印刷した従来の液晶表示素子は、電子機器に実装する際の取り扱いミスや電子機器の使用者の粗雑な取り扱い等により素子外面が強くこすられると、その面に印刷された装飾表示に剥がれ欠陥ができ、品位を失うことがあった。
【０００５】
しかも、上記印刷による装飾表示は、その印刷塗料が露出しており、電子機器を使用する度に光に曝されることにより印刷塗料が徐々に変質して退色するため、期間の経過にともなって装飾表示が薄くなってしまう。
【０００６】
この発明は、外面のこすりによる装飾表示の剥がれを無くし、しかも前記装飾表示を長期間にわたって良好な表示状態に維持することができる液晶表示素子を提供するとともに、この液晶素子を容易に製造することができる製造方法を提供することを目的としたものである。
【０００７】
【課題を解決するための手段】
この発明の液晶表示素子は、一対の基板間に液晶層が設けられた液晶セルと、前記液晶セルの前面もしくは前記液晶セルの前面と背面とにそれぞれ配置された偏光板とを備え、前記液晶セルの前面に配置された偏光板または前記液晶セルの前面と背面とにそれぞれ配置された偏光板の少なくとも一方に、この偏光板への溶剤の所定パターンの塗布により部分的に変質して着色された透明層からなる装飾表示が形成されていることを特徴とするものである。
【０００８】
この液晶表示素子は、前記偏光板を部分的に変質させて装飾表示を形成したものであるため、取り扱いミス等により素子外面が強くこすられても、前記装飾表示が剥がれることは無く、しかも、前記装飾表示を長期間にわたって良好な表示状態に維持することができる。
【０００９】
また、この発明の液晶表示素子の製造方法は、一対の基板間に液晶層が設けられた液晶セルの前面に配置された偏光板または前記液晶セルの前面と背面とにそれぞれ配置された偏光板の少なくとも一方に、この偏光板を部分的に変質させてなる装飾表示が形成された液晶表示素子の製造において、前記偏光板の外面に、この偏光板を変質させる溶剤を所定パターンに塗布し、その溶剤を前記偏光板に染み込ませて前記偏光板を部分的に変質させることにより、前記所定パターンの着色された透明層からなる装飾表示を形成することを特徴とするものである。
【００１０】
この製造方法によれば、前記偏光板の外面に前記溶剤を所定パターンに塗布し、その溶剤を前記偏光板に染み込ませるだけで、所定パターンの装飾表示を形成することができるため、前記装飾表示を有する液晶表示素子を容易に製造することができる。
【００１１】
【発明の実施の形態】
この発明の液晶表示素子は、上記のように、液晶セルの前面に配置された偏光板または前記液晶セルの前面と背面とにそれぞれ配置された偏光板の少なくとも一方に、この偏光板を部分的に変質させてなる装飾表示を形成することにより、外面のこすりによる装飾表示の剥がれを無くし、しかも前記装飾表示を長期間にわたって良好な表示状態に維持することができるようにしたものである。
【００１２】
この発明の液晶表示素子において、前記偏光板が、ベースフィルムとフロントフィルムとの間に中間フィルムを挟持した積層膜である場合、前記中間フィルムを部分的に変質させて前記装飾表示を形成するのが好ましく、このようにすることにより、外面のこすりによる前記装飾表示の剥がれを完全に無くすことができる。
【００１３】
また、この発明の液晶表示素子の製造方法は、上記のように、前記偏光板の外面に、この偏光板を変質させる溶剤を所定パターンに塗布し、その溶剤を前記偏光板に染み込ませることにより、前記偏光板を部分的に変質させて前記所定パターンの装飾表示を形成するものであり、前記装飾表示を有する液晶表示素子を容易に製造することができる。
【００１４】
この発明の製造方法において、前記偏光板が、ベースフィルムとフロントフィルムとの間に中間フィルムを挟持した積層膜である場合、この偏光板の外面に、前記中間フィルムを変質させる溶剤を所定パターンに塗布し、その溶剤を前記フロントフィルムを浸透させて前記中間フィルムに染み込ませることにより、前記中間フィルムを部分的に変質させて前記所定パターンの装飾表示を形成するのが好ましく、このようにすることにより、外面のこすりによる剥がれが全く無い装飾表示を形成することができる。
【００１５】
また、この製造方法において、前記偏光板の外面に剥ぎ取り可能なプロテクトフィルムが設けられているときは、このプロテクトフィルムの上に溶剤を塗布し、その溶剤を前記プロテクトフィルムを浸透させて前記偏光板に染み込ませるのが好ましく、このようにすることにより、前記偏光板の外面に（プロテクトフィルムの上）に残った余剰の溶剤を、偏光板そのものに擦り傷をつけることなく拭い取ることができる。
【００１６】
【実施例】
図１〜図４はこの発明の一実施例を示しており、図１は液晶表示素子の正面図、図２は図１のII−II線に沿うハッチングを省略した拡大断面図である。
【００１７】
この液晶表示素子は、ＴＮ（ツイステッドネマティック）型のものであり、一対の透明基板２，３間に液晶層９が設けられた液晶セル１と、前記液晶セル１の前面と背面とにそれぞれ配置された一対の偏光板１１，１２とを備えている。
【００１８】
前記液晶セル１は、セグメント型のものであり、その一方の基板２の内面に、複数の透明なセグメント電極４が設けられ、他方の基板３の内面に、前記複数のセグメント電極４に対向する複数の透明なコモン電極５が設けられている。また、これらの基板２，３の内面にはそれぞれ、前記電極４，５を覆って配向膜６，７が設けられている。
【００１９】
そして、前記一対の基板２，３は、その周縁部において、枠状のシール材８を介して接合されており、前記液晶層９は、前記一対の基板２，３間の前記シール材８により囲まれた領域にネマティック液晶を封入して形成されている。
【００２０】
この液晶セル１の液晶層９の液晶分子は、前記一対の基板２，３間において所定のツイスト角でツイスト配向しており、また、前記一対の偏光板１１，１２は、その透過軸を所定の方向に合わせて前記液晶セル１の前面（前面側の基板２の外面）と背面（背面側の基板３の外面）とにそれぞれ貼り付けられている。
【００２１】
なお、この実施例の液晶表示素子は、前記液晶セル１の液晶層９の液晶分子のツイスト角をほぼ９０度とし、前記一対の偏光板１１，１２を、それぞれの透過軸を互いにほぼ直交させて配置したノーマリーホワイトモードのものであり、前記液晶セル１の液晶分子が初期のツイスト配向状態にあるときの表示が白の明表示であり、前記液晶分子が電極４，５間へのオン電圧の印加により基板２，３面に対してほぼ垂直に立ち上がり配向したときの表示が黒の暗表示である。
【００２２】
また、前記一対の偏光板１１，１２の外面にはそれぞれ、この偏光板１１，１２を保護するためのプロテクトフィルム１３，１４が設けられている。このプロテクトフィルム１３，１４は、液晶表示素子を電子機器に実装する際に剥ぎ取られる。
【００２３】
そして、前記一対の偏光板１１，１２のうち、液晶セル１の前面に設けられた偏光板１１には、この偏光板１１を部分的に変質させてなる装飾表示１５が形成されている。
【００２４】
この実施例の液晶表示素子は、デジタル表示方式の電子腕時計に用いられるものであり、前記装飾表示１５は、図１のように、液晶表示素子の画面領域内、つまり前記液晶セル１の枠状シール材８により囲まれた液晶封入領域に対応する領域内に、前記液晶セル１の複数のセグメント電極４とコモン電極５との間への電圧の印加により電気光学的に表示される時刻Ａの表示領域に部分的に重ねて形成されている。
【００２５】
なお、図１に示した装飾表示１５は山と月のイラストであるが、この装飾表示１５は、他のイラストでもよく、またイラストに限らず、会社名、個人名、社章、家紋、記念記事等でもよい。
【００２６】
図３は、前記液晶セル１の前面に設けられた偏光板１１の一部分のハッチングを省略した拡大断面図であり、この偏光板１１は、ＴＡＣ（トリアセチルセルロース）からなるベースフィルム１１ａとフロントフィルム１１ｂとの間に、ＰＶＡ（ポリビニルアルコール）からなる中間フィルム１１ｃを挟持した積層膜からなっており、前記装飾表示１５は、前記中間フィルム１１ｃを部分的に所定のパターンに変質させて形成されている。
【００２７】
また、この偏光板１１の外面に設けられたプロテクトフィルム１３は、ＰＥ（ポリエチレン）またはＰＥＴ（ポリエチレンテレフタレート）からなっており、このプロテクトフィルム１３は、前記偏光板１１の外面、つまりフロントフィルム１１ｂの外面に、剥ぎ取り可能に密着されている。
【００２８】
なお、前記液晶セル１の背面に設けられた偏光板１２は、装飾表示を有していないが、この偏光板１２も、ＴＡＣからなるベースフィルムとフロントフィルムとの間にＰＶＡからなる中間フィルムを挟持した積層膜からなっており、また、この偏光板１２の外面に設けられたプロテクトフィルム１４も、ＰＥまたはＰＥＴからなっている。
【００２９】
この液晶表示素子は、前記一対の基板２，３を枠状のシール材８を介して接合し、これらの基板２，３間に液晶を封入して液晶層９を形成することにより組み立てられた液晶セル１の前面と背面とにそれぞれ、外面にプロテクトフィルム１３，１４が設けられた前記偏光板１１，１２を貼り付けた後、前記液晶セル１の前面に設けられた偏光板１１を部分的に変質させて前記装飾表示１５を形成することにより製造する。
【００３０】
図４は前記偏光板１１に装飾表示１５を形成する方法を示す、前記偏光板１１の各工程におけるハッチングを省略した拡大断面図であり、前記装飾表示１５は、次のようにして形成する。
【００３１】
まず、図４の（ａ）のように、前記偏光板１１の外面に設けられたプロテクトフィルム１３の上に、所定のパターンの切り抜き開口１６ａを設けた型紙１６を密接させ、その上から前記偏光板１１の中間フィルム１１ｃを変質させる溶剤１７を刷毛塗りまたはローラー塗りすることにより、前記プロテクトフィルム１３の上に、前記溶剤１７を、前記型紙１６の切り抜き開口１６ａの形状に応じた所定パターンに塗布する。
【００３２】
この溶剤１７は、前記プロテクトフィルム１３であるＰＥフィルムまたはＰＥＴフィルムと、前記偏光板１１のベースフィルム１１ａおよびフロントフィルム１１ｂであるＴＡＣフィルムに対してはほとんど化学的に反応せず、前記偏光板１１の中間フィルム１１ｃであるＰＶＡフィルムに対して化学的に反応する物性を有するものであり、例えば、ロジン（松ヤニ）またはパラフィン等の有機フラックスの溶液である。
【００３３】
前記プロテクトフィルム１３の上に前記溶剤１７を所定パターンに塗布した後は、前記型紙１６を取り去り、温度４０〜５０℃、湿度９０％の環境条件で、７０〜１００時間（約３〜４日間）放置する。
【００３４】
このように、前記プロテクトフィルム１３の上に前記溶剤１７を所定パターンに塗布して前記環境下で放置すると、前記プロテクトフィルム１３の上に塗布された前記溶剤１７が時間の経過にともない、図４の（ｂ）に破線矢印で示したように前記プロテクトフィルム（ＰＥフィルムまたはＰＥＴフィルム）１３および前記偏光板１１のベースフィルム（ＴＡＣフィルム）１１ａを浸透して前記偏光板１１の中間フィルム（ＰＶＡフィルム）１１ｃに染み込み、この中間フィルム１１ｃを化学的な反応により変質させる。
【００３５】
そのため、前記中間フィルム１１ｃの溶剤１７が染み込んだ領域が、その変質により着色し、図４の（ｂ）のように、着色した透明層からなる装飾表示１５が形成される。
【００３６】
この中間フィルム１１ｃの変質層（着色した透明層）の厚さは、時間の経過により前記溶剤１７の染み込みが深くなるのにともなって図４の（ｃ）のように厚くなり、前記装飾表示１５の色が、充分視認できる程度に濃くなる。
【００３７】
なお、前記プロテクトフィルム１３上に溶剤１７の塗布した後の放置時間は、上述した７０〜１００時間の範囲内で、前記中間フィルム１１ｃの変質により形成される装飾表示１５の色が所定の濃さになるように選べば良く、前記放置時間を長くするほど、濃い色の装飾表示１５を形成することができる。
【００３８】
また、前記中間フィルム１１ｃへの溶剤１７の染み込みは、厚さ方向だけでなく、周囲方向にもある程度進行するため、前記型紙１６の開口１６ａは、形成する装飾表示１５の外形よりも若干小さく形成するのが好ましく、このようにすることにより、所定パターンの装飾表示１５を精度良く形成することができる。
【００３９】
このようにして、所定の濃さの装飾表示１５を形成した後は、前記プロテクトフィルム１３の上に図４の（ｃ）のように残った余剰の溶剤１７を拭い取り、装飾表示１５を形成を終了する。
【００４０】
すなわち、この製造方法は、前記偏光板１１の外面に設けられたプロテクトフィルム１３の上に、前記偏光板１１の中間フィルム１１ｃを変質させる溶剤１７を所定パターンに塗布し、その溶剤１７を前記プロテクトフィルム１３および偏光板１１のフロントフィルム１１ｂを浸透させて前面中間フィルム１１ｃに染み込ませることにより、前記中間フィルム１１ｃを部分的に変質させて前記所定パターンの装飾表示１５を形成するものであり、この製造方法により形成される前記装飾表示１５の色は、使用する溶剤１７の種類によって決まる。
【００４１】
この液晶表示素子は、その前面および背面の偏光板１１，１２の外面に設けられたプロテクトフィルム１３，１４を剥ぎ取って、電子機器の表示部に実装される。
【００４２】
なお、この実施例の液晶表示素子は、デジタル表示方式の電子腕時計に用いられるものであり、前記電子腕時計の表示部は、前記液晶表示素子の背後に、外部から入射し前記液晶表示素子を透過してその背面側に出射した外光を前記液晶表示素子の背面に向けて反射する反射機能と、ＥＬ（エレクトロルミネセンス）素子等の光源からの照明光を前記液晶表示素子の背面に向けて出射する機能とを有する光照射手段を配置して構成されている。
【００４３】
この電子腕時計は、充分な明るさの外光が得られない環境下でも時刻等の表示を視認することができるものであり、充分な明るさの外光が得られる環境下では外光を利用する反射表示を行ない、充分な明るさの外光が得られない環境下では、前記ＥＬ素子等の光源を点灯させることにより、この光源からの照明光を利用する透過表示を行なう。
【００４４】
そして、上記液晶表示素子の前面側の偏光板１１を部分的に変質させて形成された装飾表示１５は、前記外光を利用する反射表示のときも、前記光源からの照明光を利用する透過表示を行なうときも、時刻等の表示とともに観察され、特に、前記光源からの照明光を利用する透過表示を行なうときは、前記装飾表示１５が浮かび上がって見える。
【００４５】
なお、この実施例の液晶表示素子は、図１に示したように、前記装飾表示１５を、液晶表示素子の画面領域内（液晶セル１の枠状シール材８により囲まれた液晶封入領域に対応する領域内）に、前記液晶セル１の電極４，５間への電圧の印加による電気光学表示（この実施例では時刻）Ａの表示領域に部分的に重ねて形成したものであるため、前記装飾表示１５と、前記電気光学表示Ａとが重なって見える。
【００４６】
しかし、前記装飾表示１５は、上述したように、前記偏光板１１を部分的に変質させることにより形成された着色した透明層からなっており、また前記電気光学表示Ａは黒の表示であるため、前記装飾表示１５と、前記電気光学表示Ａとが重なって見えても、前記電気光学表示Ａを充分に視認することができる。
【００４７】
そのため、この液晶表示素子によれば、前記装飾表示１５は、液晶表示素子の画面領域内の任意の領域に、任意の大きさおよび任意のパターンに形成することができる。
【００４８】
すなわち、装飾表示をスクリーン印刷等により外面に印刷した従来の液晶表示素子では、前記装飾表示が電気光学表示に重なっていると、前記電気光学表示が視認しづらくなるため、前記装飾表示の大きさおよびその形成領域が制約されるが、この実施例の液晶表示素子によれば、前記装飾表示１５が電気光学表示Ａに部分的に重なっていても前記電気光学表示Ａを充分に視認することができるため、前記装飾表示１５の大きさおよびその形成領域に制約は無い。
【００４９】
そして、上記液晶表示素子は、前記液晶セル１の前面に配置された偏光板１１に、この偏光板１１を部分的に変質させてなる装飾表示１５を形成したものであるため、この液晶表示素子を電子機器に実装する際の取り扱いミスや、電子機器の使用者の粗雑な取り扱い等により素子外面が強くこすられても、前記装飾表示１５が剥がれることは無く、しかも、前記装飾表示１５を長期間にわたって良好な表示状態に維持することができる。
【００５０】
しかも、この実施例の液晶表示素子は、前記偏光板１１が、ベースフィルム１１ａとフロントフィルム１１ｂとの間に中間フィルム１１ｃを挟持してなる積層膜であり、その中間フィルム１１ｃを部分的に変質させて前記装飾表示１５を形成したものであるため、外面のこすりによる前記装飾表示１５の剥がれを完全に無くすことができる。
【００５１】
また、上記液晶表示素子の製造方法は、前記偏光板１１の外面（上記実施例では偏光板１１の外面に設けられたプロテクトフィルム１３の上）に、前記偏光板１１を変質させる溶剤（上記実施例では偏光板１１の中間フィルム１１ｃを変質させる溶剤）１７を所定パターンに塗布し、その溶剤１７を前記偏光板１１に染み込ませることにより、この偏光板１１を部分的に変質させて前記所定パターンの装飾表示１５を形成するものであるため、前記偏光板１１の外面に前記溶剤１７を所定パターンに塗布し、その溶剤１７を前記偏光板１１に染み込ませるだけで、所定パターンの装飾表示１５を形成することができ、したがって、前記装飾表示１５を有する液晶表示素子を容易に製造することができる。
【００５２】
この製造方法により形成される装飾表示１５の色は、上述したように、使用する溶剤１７の種類によって決まるため、前記溶剤１７の種類を選ぶことにより、所定の色の装飾表示１５を形成することができる。
【００５３】
しかも、上記実施例の製造方法は、前記ベースフィルム１１ａとフロントフィルム１１ｂとの間に中間フィルム１１ｃを挟持した積層膜からなる前記偏光板１１の外面に、前記中間フィルム１１ｃを変質させる溶剤１７を所定パターンに塗布し、その溶剤１７を前記フロントフィルム１１ｂを浸透させて前記中間フィルム１１ｃに染み込ませることにより、前記中間フィルム１１ｃを部分的に変質させて前記所定パターンの装飾表示１５を形成するようにしているため、外面のこすりによる剥がれが全く無い装飾表示１５を形成することができる。
【００５４】
さらに、上記実施例の製造方法では、前記偏光板１１の外面に設けられた剥ぎ取り可能なプロテクトフィルム１３の上に溶剤１７を塗布し、その溶剤１７を前記プロテクトフィルム１３を浸透させて前記偏光板１１に染み込ませるようにしているため、前記偏光板１１の外面（プロテクトフィルム１３の上）に残った余剰の溶剤１７を、偏光板１１そのものに擦り傷をつけることなく拭い取ることができる。
【００５５】
すなわち、前記装飾表示１５の形成を終了した後も偏光板１１の外面に残った余剰溶剤１７をそのままにしておくと、その溶剤１７が時間の経過にともなって偏光板１１に染み込み、形成された装飾表示１５のパターンや色の濃さが変化してしまうため、前記余剰溶剤１７は、装飾表示１５の形成を終了した後に拭い取るのが望ましい。
【００５６】
上記実施例では、前記偏光板１１の外面に設けられた剥ぎ取り可能なプロテクトフィルム１３の上に溶剤１７を塗布しているため、余剰溶剤１７が残るのは前記プロテクトフィルム１３の上であり、したがって、前記余剰溶剤１７を拭い取る際に、前記プロテクトフィルム１３の表面に擦り傷ができることはあるが、偏光板１１そのもの、つまり前記偏光板１１のフロントフィルム１１ｂの表面に、擦り傷をつけてしまうことは無い。
【００５７】
そして、上記液表示素子は、その前面および背面の偏光板１１，１２の外面に設けられたプロテクトフィルム１３，１４を剥ぎ取って電子機器に実装されるため、前面の偏光板１１のプロテクトフィルム１３に、前記余剰溶剤１７を拭い取る際に生じた擦り傷があっても、何等問題は無い。
【００５８】
また、上記実施例の製造方法では、上述したように、所定のパターンの切り抜き開口１６ａを設けた型紙１６を用いて前記溶剤１７を塗布するが、この型紙１６は、非常に安価にしかも簡単に製作することができる。
【００５９】
したがって、この製造方法は、装飾表示をスクリーン印刷法等により印加する従来の製造方法に比べて、装飾表示を有する液晶表示素子の少量多品種生産に好適であり、また、製造コストも大幅に低減することができる。
【００６０】
さらに、上記製造方法は、液晶セル１の前面および背面にそれぞれ偏光板１１，１２を貼り付けた後に、前記液晶セル１の前面に設けられた偏光板１１の外面に溶剤１７の塗布し、その溶剤１７の前記偏光板１１に染み込ませて前記装飾表示１５を形成するものであるため、例えば液表示素子の画面領域中に、液晶分子の配向不良等に起因する表示欠陥（染み、光漏れによる白点、光吸収による黒点等）があるときに、その表示欠陥のある領域にも前記装飾表示１５を形成し、前記表示欠陥を目立たなくすることができる。そのため、この製造方法によれば、前記表示欠陥のある液晶表示素子も、前記装飾表示１５の形成により、見かけ上表示欠陥の無い良品とすることができる。
【００６１】
なお、上記実施例の製造方法では、偏光板１１の外面への溶剤１７の塗布を、型紙１６を用いて刷毛塗りまたはローラー塗りする方法で行なっているが、前記溶剤１７は、ゴム印等を用いる転写により塗布しても良く、また、筆等による手書きで塗布してもよい。
【００６２】
また、上記実施例では、前記溶剤１７を、偏光板１１の外面に設けられたプロテクトフィルム１３の上に塗布しているが、前記偏光板１１の外面にプロテクトフィルム１３が無いときは、前記溶剤１７を、前記偏光板１１の外面（フロントフィルム１１ｂの外面）に直接塗布してもよい。
【００６３】
ただし、このように偏光板１１の外面に直接溶剤１７を塗布する場合は、前記溶剤１７の塗布量（厚さ）を、前記偏光板１１の中間フィルム１１ｃに所定の濃さの装飾表示１５を形成されたときに偏光板１１の外面上の溶剤１７がほとんど無くなるように選び、前記偏光板１１の外面上に余剰の溶剤が残らないようにするのが望ましく、このようにすることにより、前記偏光板１１に擦り傷をつけるおそれのある余剰溶剤の拭い取りを不要とすることができる。
【００６４】
また、上記実施例では、ベースフィルム１１ａとフロントフィルム１１ｂとの間に中間フィルム１１ｃを挟持した積層膜からなる偏光板１１の中間フィルム１１ｃを部分的に変質させて装飾表示１５を形成しているが、前記装飾表示１５は、前記偏光板１１の表層部（例えばフロントフィルム１１ｂ）を分部的に変質させて形成してもよい。
【００６５】
さらに、上記実施例では、液晶セル１の前面に配置された前面側の偏光板１１に、この偏光板を部分的に変質させてなる装飾表示１５を形成しているが、前記装飾表示１５は、液晶セル１の背面に配置された背面側の偏光板１２に形成しても、あるいは、前面側と背面側の両方の偏光板１１，１２にそれぞれ形成してもよい。
【００６６】
なお、前記装飾表示１５を前面側と背面側の両方の偏光板１１，１２に形成する場合、前面側の偏光板１１に形成する装飾表示と、背面側の偏光板１２に形成する装飾表示とは、互いに重なり合う同一パターンの表示でも、位置およびパターンや色が互いに異なる表示でもよい。
【００６７】
また、上記実施例の液晶表示素子は、液晶セル１の前面と背面とにそれぞれ偏光板１１，１２を備えたものであるが、この発明は、液晶セルの前面だけに偏光板を備え、前記液晶セルの背面に反射板を配置した、いわゆる１枚偏光板タイプの液晶表示素子にも適用できるものであり、その場合は、前記液晶セルの前面に配置された偏光板に前記装飾表示１５を形成すればよい。
【００６８】
さらに、上記実施例の液晶表示素子に用いた液晶セル１は、セグメント型のものであるが、この液晶セル１は、単純マトリックス型や、アクティブマトリックス型のものでもよい。
【００６９】
また、上記実施例の液晶表示素子は、電子腕時計に用いられるものであるが、この発明は、置時計や壁掛時計等の電子時計や、電卓、その他の電子機器に用いる液晶表示素子に広く適用することができる。
【００７０】
【発明の効果】
この発明の液晶表示素子は、液晶セルの前面に配置された偏光板または前記液晶セルの前面と背面とにそれぞれ配置された偏光板の少なくとも一方に、この偏光板を部分的に変質させてなる装飾表示を形成したものであるため、外面のこすりによる装飾表示の剥がれを無くし、しかも前記装飾表示を長期間にわたって良好な表示状態に維持することができる。
【００７１】
この発明の液晶表示素子において、前記偏光板が、ベースフィルムとフロントフィルムとの間に中間フィルムを挟持した積層膜である場合、前記中間フィルムを部分的に変質させて前記装飾表示を形成するのが好ましく、このようにすることにより、外面のこすりによる前記装飾表示の剥がれを完全に無くすことができる。
【００７２】
また、この発明の液晶表示素子の製造方法は、前記偏光板の外面に、この偏光板を変質させる溶剤を所定パターンに塗布し、その溶剤を前記偏光板に染み込ませることにより、前記偏光板を部分的に変質させて前記所定パターンの装飾表示を形成するものであるため、前記装飾表示を有する液晶表示素子を容易に製造することができる。
【００７３】
この発明の製造方法において、前記偏光板が、ベースフィルムとフロントフィルムとの間に中間フィルムを挟持した積層膜である場合、この偏光板の外面に、前記中間フィルムを変質させる溶剤を所定パターンに塗布し、その溶剤を前記フロントフィルムを浸透させて前記中間フィルムに染み込ませることにより、前記中間フィルムを部分的に変質させて前記所定パターンの装飾表示を形成するのが好ましく、このようにすることにより、外面のこすりによる剥がれが全く無い装飾表示を形成することができる。
【００７４】
また、この製造方法において、前記偏光板の外面に剥ぎ取り可能なプロテクトフィルムが設けられているときは、このプロテクトフィルムの上に溶剤を塗布し、その溶剤を前記プロテクトフィルムを浸透させて前記偏光板に染み込ませるのが好ましく、このようにすることにより、前記偏光板の外面に（プロテクトフィルムの上）に残った余剰の溶剤を、偏光板そのものに擦り傷をつけることなく拭い取ることができる。
【図面の簡単な説明】
【図１】この発明の一実施例を示す液晶表示素子の正面図。
【図２】図１のII−II線に沿うハッチングを省略した拡大断面図。
【図３】前記液晶表示素子における液晶セルの前面に設けられた偏光板の一部分のハッチングを省略した拡大断面図。
【図４】前記偏光板に装飾表示を形成する方法を示す、前記偏光板の各工程におけるハッチングを省略した拡大断面図。
【符号の説明】
１…液晶セル
２，３…基板
４，５…電極
６，７…配向膜
９…液晶層
１１，１２…偏光板
１１ａ…ベースフィルム
１１ｂ…フロントフィルム
１１ｃ…中間フィルム
１３，１４…プロテクトフィルム
１５…装飾表示
１６…型紙
１７…溶剤
【図１】
0003747707.tif 000002
【図２】
0003747707.tif 000003
【図３】
0003747707.tif 000004
【図４】
0003747707.tif 000005